(57)【要約】【課題】  ヘアーアイロンの対向するスチールプレート間に緩衝部材を取り付け、スチールプレート間に挟持された毛髪をストレートに容易に伸ばすと共に、熱による毛髪の変形も防止できる、緩衝部材が取り付けられたヘアーアイロンを提供する。【解決手段】  緩衝部材が取り付けられたヘアーアイロンは、熱線ヒータ１３、２３が内蔵されたスチールプレート１２、２２がそれぞれ取り付けられた第１の加圧部材１０および第２の加圧部材２０を備えるヘアーアイロンにおいて、対向する各スチールプレート１２、２２のうち、第２の加圧部材２０に取り付けられたスチールプレート２２に緩衝部材４０を取り付けている。【選択図】  図３
2006239388.tif 000002
【特許請求の範囲】
【請求項１】
熱線ヒータが内蔵されたスチールプレートがそれぞれ取り付けられた第１の加圧部材および第２の加圧部材を備えるヘアーアイロンにおいて、
前記対向する各スチールプレートのうち、前記第２の加圧部材に取り付けられたスチールプレートに緩衝部材を取り付けることを特徴とするヘアーアイロン。
【請求項２】
前記緩衝部材が耐熱性シリコンから構成されることを特徴とする請求項１に記載のヘアーアイロン。
【請求項３】
前記緩衝部材の材質が、銀、テプロンおよびウレタンで構成されている群から選択された耐熱性素材で構成されることを特徴とする請求項１に記載のヘアーアイロン。
【請求項４】
前記スチールプレートのうち、前記緩衝部材が取り付けられたスチールプレートには、長手方向に溝が形成され、前記溝上には、前記緩衝部材として前記溝の形状に対応する棒状の耐熱性シリコンが挿入され、前記緩衝部材が前記溝から離脱しないように構成されることを特徴とする請求項１に記載のヘアーアイロン。
【請求項５】
熱線ヒータが内蔵されたスチールプレートがそれぞれ取り付けられた第１の加圧部材および第２の加圧部材を備えるヘアーアイロンにおいて、
前記対向する第１および第２の加圧部材に取り付けられた各スチールプレートに、緩衝部材をそれぞれ取り付けることを特徴とするヘアーアイロン。
【発明の詳細な説明】
【技術分野】
【０００１】
本発明は、緩衝部材が取り付けられたヘアーアイロンに関し、特に、ヘアーアイロンの対向するスチールプレート間に緩衝部材を取り付け、スチールプレート間に挟持された毛髪をストレートに容易に伸ばすと共に、熱による毛髪の変形も防止できる、緩衝部材が取り付けられたヘアーアイロンに関する。
【背景技術】
【０００２】
一般的に、ヘアーアイロンは、毛髪をストレートに伸ばすか、または毛髪にカールやウェーブを付けるために使用されるもので、美容室でも一般家庭でも使用される製品である。
【０００３】
以下、このような従来のヘアーアイロンについて図５を参照して説明する。
【０００４】
図５は、従来のヘアーアイロンを示す図である。図示のように、従来のヘアーアイロンは、上下に対向するスチールプレート１２ｂに熱線ヒータ１３ｂが内蔵され、熱線ヒータ１３ｂによりスチールプレート１２ｂが加熱されると、使用者は、外部ケース１１ａの外側から加圧して、所望のスタイルになるように毛髪をストレートに伸ばすか、またはカールやウェーブを付ける。一方、このような構造のヘアーアイロンには電源が供給されるが、電源の供給に関連した構造、即ち、電線、温度制御器７０に関連した構造は、市販されている公知のヘアーアイロンと同様であるので、その詳細な説明は省略する。
【０００５】
一方、第１の加圧部材１と第２の加圧部材２とはヒンジ５で結合されており、第１の加圧部材１には遊隔スティック（spacing stick）６０が固定され、遊隔スティック６０の端部には突出部６１が形成されている。また、第２の加圧部材２には遊隔部６２が形成され、遊隔部６２の空間内で遊隔スティック６０が上下に移動自在になっており、第１の加圧部材１と第２の加圧部材２との間隔が手の加圧によって調整されるように構成されている。さらに、遊隔部６２の下部にはバネ６３が装着されている。
【発明の開示】
【発明が解決しようとする課題】
【０００６】
しかしながら、このような従来のヘアーアイロンは、スチールプレート１２ｂとスチールプレート１２ｂが当接するため、金属と金属が当接して毛髪を軽く掴むことができず、隙間が生じる恐れがある。また、加熱された金属により毛髪が損傷する恐れもある。
【０００７】
本発明は、このような従来技術の問題点を解決するためになされたもので、特に、ヘアーアイロンの対向するスチールプレート間に緩衝部材を取り付け、スチールプレート間に挟持された毛髪をストレートに容易に伸ばすと共に、熱による毛髪の変形も防止できる、緩衝部材が取り付けられたヘアーアイロンを提供することを目的とする。
【課題を解決するための手段】
【０００８】
このような目的を達成するために、本発明によるヘアーアイロンは、熱線ヒータが内蔵されたスチールプレートがそれぞれ取り付けられた第１の加圧部材および第２の加圧部材を備えるヘアーアイロンにおいて、前記対向する各スチールプレートのうち、前記第２の加圧部材に取り付けられたスチールプレートに緩衝部材を取り付けることを特徴とする。
【発明の効果】
【０００９】
本発明による緩衝部材が取り付けられたヘアーアイロンは、スチールプレート１２とスチールプレート２２が当接しないようにすることにより、耐熱性シリコンにより毛髪を軽く掴み、隙間が生じないようにするという効果がある。
【００１０】
また、本発明により毛髪が損傷することを防止できるという効果がある。
【００１１】
また、第２の加圧部材２０のスチールプレート２２上に取り付けられた緩衝部材４０とスチールプレート１２との間に位置した毛髪は、耐熱性シリコンの柔らかい性質により容易に加圧およびスライドされるという効果がある。
【００１２】
また、耐熱性シリコンの弾性性質により、緩衝部材４０とスチールプレート２２との間に隙間が生じないようにすることができるという効果がある。
【００１３】
また、金属材質のスチールプレート１２、２２同士が接触しないように、中間に耐熱性シリコンを位置させるため、熱による毛髪の損傷を低減できるという効果がある。
【００１４】
また、本発明により、毛髪が引っ掛かって切れることがなく、ヘアーアイロンを毛髪にスライドさせるとき、緩衝部材によりスライド感をよくするという優れた効果がある。
【発明を実施するための最良の形態】
【００１５】
以下、添付の図面を参照して本発明について詳細に説明する。
【００１６】
図１は、本発明によるヘアーアイロンが開いた状態を示す図であり、図２は、本発明によるヘアーアイロンが閉じた状態を示す図であり、図３は、本発明によるヘアーアイロンを示す断面図であり、図４は、本発明によるヘアーアイロンの他の実施形態を示す断面図である。本発明は、熱線ヒータ１３、２３が内蔵されたスチールプレート１２、２２がそれぞれ取り付けられた第１の加圧部材１０および第２の加圧部材２０を備えるヘアーアイロンにおいて、対向する各スチールプレート１２、２２のうち、第２の加圧部材２０に取り付けられたスチールプレート２２に緩衝部材４０を取り付けることを特徴とする。以下、それぞれの部材について説明する。
【００１７】
緩衝部材４０は、耐熱性シリコン、銀、テプロンまたはウレタン等の耐熱性素材で構成される。また、緩衝部材４０は、スチールプレート２２の表面に取り付けることもでき、スチールプレート２２の表面に溝２２ａを形成してその溝２２ａに挿入することにより離脱しないようにすることもできる。また、図には示していないが、緩衝部材４０は、第１および第２の加圧部材１０、２０の各スチールプレート１２、２２の表面全てに取り付けることもできる。一方、緩衝部材４０の材質は、耐熱性シリコンまたは銀に限定されることなく、弾性を有すると共に熱に耐えることができる物質であれば適用可能である。
【００１８】
スチールプレート１２、２２の外側には、外部ケース１１、２１がそれぞれ取り付けられ、第１および第２の加圧部材１０、２０は、ヒンジ５により各端部の間隔が広くなったり狭くなったりできるようになっている。また、第１の加圧部材１０には遊隔スティック６０が固定され、遊隔スティック６０の端部には突出部６１が形成される。また、第２の加圧部材２０には遊隔部６２が形成され、遊隔部６２の空間内で遊隔スティック６０が上下に移動自在に構成される。一方、第１の加圧部材１０と第２の加圧部材２０との間隔は、第１および第２の加圧部材１０、２０の外側を指で加圧することによって調整される。さらに、遊隔部６２の下部にはバネ６３が装着される。
【００１９】
また、スチールプレート１２、２２のうち、緩衝部材４０が取り付けられたスチールプレート２２には、長手方向に溝２２ａが形成されており、溝２２ａ上には、緩衝部材４０として、溝２２ａの形状に対応する棒状の耐熱性シリコンが挿入される。緩衝部材４０は、溝２２ａから離脱しないように下部に突出部４０ａを有する。即ち、突出部４０ａが溝２２ａに挿入されることによって離脱しないように構成される。
【００２０】
一方、本発明によるヘアーアイロンは、一般的なヘアーアイロンのように、温度を制御するための手段として、温度制御器７０および電源線などが備えられているが、これらの構成は従来の公知の構成であるので詳細な説明は省略する。
【００２１】
一方、スチールプレート１２、２２の表面には、セラミックコーティング層、テフロン（登録商標）コーティング層、またはアノダイジング（anodizing）コーティング層を形成し、本発明による耐熱性シリコンは、１００〜２３０℃まで耐えることができる材質である。
【００２２】
以下、本発明によるヘアーアイロンにより毛髪をストレートに伸ばすか、または毛髪にカールやウェーブを付ける方法を説明する。
【００２３】
まず、使用者は電源線を連結してスチールプレート１２、２２を加熱させる。スチールプレート１２、２２の加熱時、温度制御器７０により適正温度を維持することができる。
【００２４】
その後、使用者は毛髪を対向する第１および第２の加圧部材１０、２０間に挟持させた後、第１および第２の加圧部材１０、２０の外側を手で加圧すると共にスライドさせる。このとき、毛髪はスチールプレート１２と緩衝部材４０との間で加圧され、熱も加えられる。また、緩衝部材４０である耐熱性シリコンは、熱に耐えると共に弾性を有しているため、毛髪を効果的に加圧することができる。このような方法により、くせ毛をストレートに伸ばすことができるのはもちろんのこと、カールやウェーブを付けることもできる。
【００２５】
このとき、第２の加圧部材２０のスチールプレート２２上に取り付けられた緩衝部材４０とスチールプレート１２との間に位置した毛髪は、耐熱性シリコンの柔らかい性質により容易に加圧およびスライドされる。また、耐熱性シリコンの弾性性質により、緩衝部材４０とスチールプレート２２との間に隙間が生じないようにすることができる。また、金属材質のスチールプレート１２、２２同士が接触しないように、中間に耐熱性シリコンを位置させるため、熱による毛髪の損傷を減らすことができる。一方、本発明による緩衝部材４０は、使用中に新しいものに交換することもできる。
【図面の簡単な説明】
【００２６】
【図１】本発明によるヘアーアイロンが開いた状態を示す図である。
【図２】本発明によるヘアーアイロンが閉じた状態を示す図である。
【図３】本発明によるヘアーアイロンを示す断面図である。
【図４】本発明によるヘアーアイロンの他の実施形態を示す断面図である。
【図５】従来のヘアーアイロンを示す図である。
【符号の説明】
【００２７】
１、１０  第１の加圧部材
２、２０  第２の加圧部材
１２、２２  スチールプレート
１１、２１  外部ケース
１３、２３  熱線ヒータ
４０  緩衝部材
２２ａ  溝
４０ａ  突出部
【図１】
2006239388.tif 000003
【図２】
2006239388.tif 000004
【図３】
2006239388.tif 000005
【図４】
2006239388.tif 000006
【図５】
2006239388.tif 000007